(57)【特許請求の範囲】
【請求項１】
部品の加工費用を見積もるための部品加工費見積システムにおいて、
見積用のデータを入力する見積用データ入力手段と、
前記見積用データ入力手段で入力された見積入力データを受け付ける見積入力データ受付手段と、
前記見積入力データ受付手段で受け付けた前記見積入力データが予め定めた見積条件を満たすか否か判断する判断手段と、
前記見積入力データの第１予測データに応じた見積基準額を予め定め、前記見積基準額を前記見積入力データの第１予測データに対応させて記憶した見積基準額記憶手段と、
前記見積基準額に掛け合わせる係数で且つ前記見積入力データの第２予測データに応じた係数を予め定め、前記係数を前記見積入力データの第２予測データに対応させて記憶した見積係数記憶手段と、
前記見積入力データに合致する前記第１予測データに対応する前記見積基準額に、前記見積入力データに合致する前記第２予測データに対応する前記係数を掛け合わせて、前記部品の加工費用の見積額を算出する見積額算出手段と、を備え、
前記見積入力データは、少なくとも部品の最大幅寸法、部品の高さ寸法、部品の面積比（表面積／投影面積）で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）に対応するように設定された、
ことを特徴とする部品加工費見積システム。
【請求項２】
部品の加工費用を見積もるための部品加工費見積システムにおいて、
見積用のデータを入力する見積用データ入力手段と、
前記見積用データ入力手段で入力された見積入力データを受け付ける見積入力データ受付手段と、
前記見積入力データ受付手段で受け付けた前記見積入力データが予め定めた見積条件を満たすか否か判断する判断手段と、
前記見積入力データの第１予測データに応じた見積基準額を予め定め、前記見積基準額を前記見積入力データの前記第１予測データに対応させて記憶した見積基準額記憶手段と、
前記見積基準額に掛け合わせる係数で且つ前記見積入力データの第２予測データに応じた係数を予め定め、前記係数を前記見積入力データの第２予測データに対応させて記憶した見積係数記憶手段と、
前記見積入力データに合致する前記第１予測データに対応する前記見積基準額に、前記見積入力データに合致する前記第２予測データに対応する前記係数を掛け合わせて見積額を算出する見積額算出手段と、を備え、
前記見積入力データは、少なくとも部品の最大幅寸法、部品の高さ寸法、部品の最小肉厚寸法、部品の最大肉厚寸法、部品の面積比（表面積／投影面積）、部品の数量、部品の成形材料、部品のアンダーカットの有無及び方向数で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）、前記部品の成形材料、前記アンダーカットの有無及び方向数のそれぞれに対応するように設定された、
ことを特徴とする部品加工費見積システム。
【請求項３】
前記部品加工費見積システムは、ネットワークを介して外部端末からのアクセスを受け付け、前記見積額を見積番号と共に前記外部端末に送信する通信手段を備えた、
ことを特徴とする請求項１又は２に記載の部品加工費見積システム。
【請求項４】
部品の加工費用を見積もるための部品加工費見積方法において、
見積用データ入力手段から入力された見積入力データを見積入力データ受付手段で受け付ける見積入力データ受付ステップと、
前記見積入力データ受付手段で受け付けた前記見積入力データが予め定めた見積条件を満たすか否か判断手段で判断する判断ステップと、
前記見積入力データの第１予測データに応じた見積基準額を予め定め、前記見積基準額を前記見積入力データの第１予測データに対応させて見積基準額記憶手段で記憶するステップと、
前記見積基準額に掛け合わせる係数で且つ前記見積入力データの第２予測データに応じた係数を予め定め、前記係数を前記見積入力データの第２予測データに対応させて見積係数記憶手段で記憶するステップと、
前記見積入力データに合致する前記第１予測データに対応する前記見積基準額に、前記見積入力データに合致する前記第２予測データに対応する前記係数を掛け合わせて、前記部品の加工費用の見積額を見積額算出手段で算出する見積額算出ステップと、を備え、
前記見積入力データは、少なくとも部品の最大幅寸法、部品の高さ寸法、部品の面積比（表面積／投影面積）で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）に対応するように設定された、
ことを特徴とする部品加工費見積方法。
【請求項５】
部品の加工費用を見積もるための部品加工費見積方法において、
見積用データ入力手段から入力された見積入力データを見積入力データ受付手段で受け付ける見積入力データ受付ステップと、
前記見積入力データ受付手段で受け付けた前記見積入力データが予め定めた見積条件を満たすか否か判断手段で判断する判断ステップと、
前記見積入力データの第１予測データに応じた見積基準額を予め定め、前記見積基準額を前記見積入力データの第１予測データに対応させて見積基準額記憶手段で記憶するステップと、
前記見積基準額に掛け合わせる係数で且つ前記見積入力データの第２予測データに応じた係数を予め定め、前記係数を前記見積入力データの第２予測データに対応させて見積係数記憶手段で記憶するステップと、
前記見積入力データに合致する前記第１予測データに対応する前記見積基準額に、前記見積入力データに合致する前記第２予測データに対応する前記係数を掛け合わせて、前記部品の加工費用の見積額を見積額算出手段で算出する見積額算出ステップと、を備え、
前記見積入力データは、少なくとも部品の最大幅寸法、部品の高さ寸法、部品の最小肉厚寸法、部品の最大肉厚寸法、部品の面積比（表面積／投影面積）、部品の数量、部品の成形材料、部品のアンダーカットの有無及び方向数で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）、前記部品の成形材料、前記アンダーカットの有無及び方向数のそれぞれに対応するように設定された、
ことを特徴とする部品加工費見積方法。
【請求項６】
前記部品加工費見積方法は、ネットワークを介して外部端末からのアクセスを受け付け、前記見積額を見積番号と共に前記外部端末に通信手段で送信する、
ことを特徴とする請求項４又は５に記載の部品加工費見積方法。
【請求項７】
部品の加工費用を見積もるための部品加工費見積装置において、
見積入力データを受け付ける見積入力データ受付手段と、
見積入力データ受付手段で受け付けた見積入力データが予め定めた見積条件を満たすか否か判断する判断手段と、
前記見積入力データの第１予測データに応じた見積基準額を予め定め、前記見積基準額を前記見積入力データの第１予測データに対応させて記憶した見積基準額記憶手段と、
前記見積基準額に掛け合わせる係数で且つ前記見積入力データの第２予測データに応じた係数を予め定め、前記係数を前記見積入力データの第２予測データに対応させて記憶した見積係数記憶手段と、
前記見積入力データに合致する前記第１予測データに対応する前記見積基準額に、前記見積入力データに合致する前記第２予測データに対応する前記係数を掛け合わせて、前記部品の加工費用の見積額を算出する見積額算出手段と、を備え、
前記見積入力データは、少なくとも部品の最大幅寸法、部品の高さ寸法、部品の面積比（表面積／投影面積）で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）に対応するように設定された、
ことを特徴とする部品加工費見積装置。
【請求項８】
部品の加工費用を見積もるための部品加工費見積装置において、
見積入力データを受け付ける見積入力データ受付手段と、
見積入力データ受付手段で受け付けた見積入力データが予め定めた見積条件を満たすか否か判断する判断手段と、
前記見積入力データの第１予測データに応じた見積基準額を予め定め、前記見積基準額を前記見積入力データの前記第１予測データに対応させて記憶した見積基準額記憶手段と、
前記見積基準額に掛け合わせる係数で且つ前記見積入力データの第２予測データに応じた係数を予め定め、前記係数を前記見積入力データの第２予測データに対応させて記憶した見積係数記憶手段と、
前記見積入力データに合致する前記第１予測データに対応する前記見積基準額に、前記見積入力データに合致する前記第２予測データに対応する前記係数を掛け合わせて見積額を算出する見積額算出手段と、を備え、
前記見積入力データは、少なくとも部品の最大幅寸法、部品の高さ寸法、部品の最小肉厚寸法、部品の最大肉厚寸法、部品の面積比（表面積／投影面積）、部品の数量、部品の成形材料、部品のアンダーカットの有無及び方向数で構成され、
前記第１予測データは、前記見積入力データのうちの前記部品の最大幅寸法に対応するように設定され、
前記第２予測データは、前記見積入力データのうちの少なくとも前記部品の面積比（表面積／投影面積）、前記部品の成形材料、前記アンダーカットの有無及び方向数のそれぞれに対応するように設定された、
ことを特徴とする部品加工費見積装置。
【請求項９】
前記部品加工費見積装置は、ネットワークを介して外部端末からのアクセスを受け付け、前記見積額を見積番号と共に前記外部端末に送信する通信手段を備えた、
ことを特徴とする請求項７又は８に記載の部品加工費見積装置。
【発明の詳細な説明】
【技術分野】
【０００１】
この発明は、部品の加工費を見積もるための部品加工費見積システム、部品加工費見積方法、部品加工費見積装置、及び部品加工費見積プログラムに関するものである。
【背景技術】
【０００２】
例えば、自社内に生産設備を保有していない企業、大学の研究室等の作業者は、部品（樹脂歯車、金属歯車等の試作品又は量産品）の設計図の作成が完了し、その設計図に基づいて部品を製作する必要がある場合、外部の部品製造メーカーに部品加工を発注する前に、外部の部品製造メーカーから部品加工費用の見積を取り寄せ、その見積結果に基づき発注するか否かの判断をしている。
【０００３】
（第１従来例）
このような部品加工費を見積もるシステムとしては、見積依頼時に、部品製造メーカー（部品加工の受注予定者）がクライアント（部品加工の発注予定者）からＣＡＤファイルをグローバルコミュニケーションネットワークを介して受け取り、部品製造メーカーがそのＣＡＤデータをコンピュータで処理して見積額を算出し、その見積額をクライアントにグローバルコミュニケーションネットワークを介して自動的に送信するものが知られている（特許文献１参照）。
【０００４】
（第２従来例）
また、部品加工費を見積もるシステムとしては、予め部品コスト見積サイト側に詳細な登録事項に基づいてユーザー登録されたクライアントがインターネットを介して部品コスト見積サイトと接続され、クライアントが見積用のデータ或いは見積額を部品コスト見積サイト側の部品コスト見積サーバから提供されるように構成されたものが知られている（特許文献２参照）。
【先行技術文献】
【特許文献】
【０００５】
【特許文献１】米国特許第６７０１２００号明細書
【特許文献２】特許第４４６４５８７号公報
【発明の概要】
【発明が解決しようとする課題】
【０００６】
しかしながら、第１従来例は、クライアント側から部品製造メーカーにＣＡＤファイルを渡さなければならないため、秘密情報漏洩防止の観点から、秘密性の高い開発品に関する加工費の見積額を得にくいという問題を有している。
【０００７】
また、第２従来例は、予め部品コスト見積サイト側に詳細な登録事項に基づいてユーザー登録されたクライアントだけがシステム利用できるようになっているため、煩わしいユーザー登録をすることなく最低限の個人情報だけでシステム利用したいクライアントが気楽に利用することができないという問題を有している。また、第２従来例は、部品に関する詳細な加工コストを簡単に見積もることが目的になっているが、クライアント側に要求される入力データが多く、経験の浅い技術者が部品コスト見積サイトを気楽に利用することができないという問題を有している。
【０００８】
そこで、本発明は、見積依頼者が秘密情報漏洩の心配をすることなく気楽に部品加工費の見積を得ることができるようにした部品加工費見積システム、部品加工費見積方法、及び部品加工費見積装置を提供する。
【課題を解決するための手段】
【０００９】
本発明は、部品１の加工費用を見積もるための部品加工費見積システムに関するものである。
この部品加工費見積システムは、
・見積用のデータを入力する見積用データ入力手段２２と、
・前記見積用データ入力手段２２で入力された見積入力データを受け付ける見積入力データ受付手段２８と、
・前記見積入力データ受付手段２８で受け付けた前記見積入力データが予め定めた見積条件を満たすか否か判断する判断手段３０と、
・前記見積入力データの第１予測データに応じた見積基準額を予め定め、前記見積基準額を前記見積入力データの第１予測データに対応させて記憶した見積基準額記憶手段１３と、
・前記見積基準額に掛け合わせる係数で且つ前記見積入力データの第２予測データに応じた係数を予め定め、前記係数を前記見積入力データの第２予測データに対応させて記憶した見積係数記憶手段１４と、
・前記見積入力データに合致する前記第１予測データに対応する前記見積基準額に、前記見積入力データに合致する前記第２予測データに対応する前記係数を掛け合わせて、前記部品１の加工費用の見積額を算出する見積額算出手段３１と、を備えている。
・そして、前記見積入力データは、少なくとも部品１の最大幅寸法、部品１の高さ寸法、部品１の面積比（表面積／投影面積）で構成されている。また、前記第１予測データは、前記見積入力データのうちの前記部品１の最大幅寸法に対応するように設定されている。また、前記第２予測データは、前記見積入力データのうちの少なくとも前記部品１の面積比（表面積／投影面積）に対応するように設定されている。
【００１０】
また、本発明は、部品１の加工費用を見積もるための部品加工費見積方法に関するものである。
この部品加工費見積方法は、
・前記見積用データ入力手段２２から入力された見積入力データを見積入力データ受付手段２８で受け付ける見積入力データ受付ステップと、
・前記見積入力データ受付手段２８で受け付けた前記見積入力データが予め定めた見積条件を満たすか否か判断手段３０で判断する判断ステップと、
・前記見積入力データの第１予測データに応じた見積基準額を予め定め、前記見積基準額を前記見積入力データの第１予測データに対応させて見積基準額記憶手段１３で記憶するステップと、
・前記見積基準額に掛け合わせる係数で且つ前記見積入力データの第２予測データに応じた係数を予め定め、前記係数を前記見積入力データの第２予測データに対応させて見積係数記憶手段１４で記憶するステップと、
・前記見積入力データに合致する前記第１予測データに対応する前記見積基準額に、前記見積入力データに合致する前記第２予測データに対応する前記係数を掛け合わせて、前記部品の加工費用の見積額を見積額算出手段３１で算出する見積額算出ステップと、を備えている。
・そして、前記見積入力データは、少なくとも部品１の最大幅寸法、部品１の高さ寸法、部品１の面積比（表面積／投影面積）で構成されている。また、前記第１予測データは、前記見積入力データのうちの前記部品１の最大幅寸法に対応するように設定されている。また、前記第２予測データは、前記見積入力データのうちの少なくとも前記部品１の面積比（表面積／投影面積）に対応するように設定されている。
【００１１】
また、本発明は、部品１の加工費用を見積もるための部品加工費見積装置６に関するものである。
この部品加工費見積装置６は、
・見積入力データを受け付ける見積入力データ受付手段２８と、
・見積入力データ受付手段２８で受け付けた見積入力データが予め定めた見積条件を満たすか否か判断する判断手段３０と、
・前記見積入力データの第１予測データに応じた見積基準額を予め定め、前記見積基準額を前記見積入力データの第１予測データに対応させて記憶した見積基準額記憶手段１３と、
・前記見積基準額に掛け合わせる係数で且つ前記見積入力データの第２予測データに応じた係数を予め定め、前記係数を前記見積入力データの第２予測データに対応させて記憶した見積係数記憶手段１４と、
・前記見積入力データに合致する前記第１予測データに対応する前記見積基準額に、前記見積入力データに合致する前記第２予測データに対応する前記係数を掛け合わせて、前記部品１の加工費用の見積額を算出する見積額算出手段３１と、を備えている。
・そして、前記見積入力データは、少なくとも部品１の最大幅寸法、部品１の高さ寸法、部品１の面積比（表面積／投影面積）で構成されている。また、前記第１予測データは、前記見積入力データのうちの前記部品１の最大幅寸法に対応するように設定されている。また、前記第２予測データは、前記見積入力データのうちの少なくとも前記部品１の面積比（表面積／投影面積）に対応するように設定されている。
【発明の効果】
【００１３】
本発明によれば、見積時にＣＡＤファイルの提供を求めることがなく、また、詳細な登録事項に基づくユーザー登録を求めることがなく、簡単で少ない入力データで経験に基づいた見積を提供できるため、見積依頼者が秘密情報漏洩の心配をすることなく気楽に部品加工費の見積を得ることができる。
【図面の簡単な説明】
【００１４】
【図１】本発明の実施形態に係る部品加工費見積システムの構成を示す図である。
【図２】図２（ａ）は部品加工費見積サーバにアクセスしたクライアントの表示部に表示される見積用データ入力ウィンドウを示す図であり、図２（ｂ）は図２（ａ）の見積用データ入力ウィンドウの変形例（第１の見積用データ入力ウィンドウ）を示す図であり、図２（ｃ）は図２（ａ）の見積用データ入力ウィンドウの変形例（第２の見積用データ入力ウィンドウ）を示す図である。
【図３】部品の最大幅のプルダウンメニューの表示数値例を示す図である。
【図４】本実施形態の部品加工費見積システムによって加工費が見積もられる部品を示す図であり、図４（ａ）が部品の平面図、図４（ｂ）が部品の側面図、図４（ｃ）が図４（ａ）のＡ１−Ａ１線に沿って切断する部品の断面図である。
【図５】部品を射出成形するための金型を示す図であり、図５（ａ）が第１金型を取り除いた状態で第２金型を平面視した図、図５（ｂ）が金型の縦断面図である。
【図６】部品加工費見積システムの加工費見積処理を示すフローチャート図である。
【図７】部品加工費見積システムを構成する部品加工費見積サーバの機能ブロック図である。
【図８】見積結果を示す表示画面の図である。
【図９】見積用データ入力ウィンドウの変形例を示す図である。
【図１０】図１０（ａ）は図９の見積用データ入力ウィンドウの変形例（第１の見積用データ入力ウィンドウ）を示す図であり、図１０（ｂ）は図９の見積用データ入力ウィンドウの変形例（第２の見積用データ入力ウィンドウ）を示す図である。
【発明を実施するための形態】
【００１５】
以下、本発明の実施形態を図面に基づき詳述する。
【００１６】
図１は、本発明の実施形態に係る部品加工費見積システムの構成を示す図である。この図１に示す部品加工費見積システムは、部品１（例えば、図４に示すような樹脂製歯車、金属製歯車）を製造するのに必要となる加工費を見積もるシステムであって、情報処理装置２と記憶装置３を備え、情報処理装置２がインターネット４を介してクライアント５（コンピュータやスマートフォン等）に接続されるようになっている。そして、情報処理装置２及び記憶装置３は、部品加工費見積サーバ（部品加工費見積装置）６を構成している。
【００１７】
情報処理装置２は、制御部７、記憶部８、表示部１０、及び操作部１１を備えている。また、記憶装置３は、情報処理装置２に直接接続されるか又はＬＡＮ等のネットワークを介して接続され、部品加工費の見積計算に必要な様々なデータ、見積データ（見積番号、見積入力データ、見積額）等が記憶されている。
【００１８】
情報処理装置２の制御部７は、ＣＰＵ（中央演算処理装置）等を備え、記憶部８に記憶された制御プログラム（部品加工費見積プログラム等）に従って、各種データから部品加工費を見積もって、その見積額を表示部１０に表示させ、また、その見積額をアクセスのあったクライアント５に図示しない通信手段を介して送信する等の処理を行う。
【００１９】
情報処理装置２の記憶部８は、ＣＰＵに処理を実行させる制御プログラムが記憶されたＲＯＭと、部品加工費の見積計算に必要となるデータを一時記憶すると共にＣＰＵの処理に必要となる作業領域を確保するＲＡＭとを有している。
【００２０】
情報処理装置２の表示部１０は、表示モニタ（例えば、液晶表示パネル、有機ＥＬパネル）等で構成され、部品加工費の見積用データを入力するための見積用データ入力ウィンドウ、部品加工費の見積額を表示するための見積結果表示ウィンドウ等を表示する。
【００２１】
情報処理装置２の操作部１１は、キーボードやマウス等を有し、部品加工費の見積用データを見積用データ入力ウィンドウ１２を介して入力できるようになっており（図２参照）、見積用データ入力手段としても機能する。したがって、本実施形態に係る部品加工費見積システムは、インターネット４から切り離しても、部品加工費の見積計算を行うことができるようになっている。
【００２２】
記憶装置３は、見積基準額を記憶する第１のファイル（見積基準額記憶手段）１３、見積基準額に掛け合わせる係数を記憶する第２のファイル（見積係数記憶手段）１４、見積額を見積番号に関連づけて見積入力データと共に記憶する第３のファイル（見積データ記憶手段）１５等、を有している。
【００２３】
図２（ａ）は、部品加工費見積サーバ６にアクセスしたクライアント５の表示部（液晶表示パネルの画面等）に表示される見積用データ入力ウィンドウ１２を示す図である。この見積用データ入力ウィンドウ１２は、部品１の最大幅、部品１の最大高さ、及び面積比（表面積／投影面積）をプルダウンメニュー１６〜１８の表示数値又は表示数値範囲から選択して入力できるようになっている。図３は、部品１の最大幅のプルダウンメニュー１６の表示数値例２０を示す図であり、この表示数値例２０の中から該当する部品１の最大幅の数値範囲を選択して入力する。なお、図２（ａ）に示す見積用データ入力ウィンドウ１２は、送信ボタン１９を操作（クリック、タッチ等）することにより、見積入力データを部品加工費見積サーバ６にインターネット４を介して送信できるようになっている。
【００２４】
図４は、本実施形態の部品加工費見積システムによって加工費が見積もられる部品１（例えば、樹脂製歯車、金属製歯車）を示す図である。また、図５は、部品１を射出成形するための金型２１を示す図である。なお、図４において、図４（ａ）が部品１の平面図、図４（ｂ）が部品１の側面図、図４（ｃ）が図４（ａ）のＡ１−Ａ１線に沿って切断する部品１の断面図である。また、図５において、図５（ａ）が第１金型２１Ａを取り除いた状態で第２金型２１Ｂを平面視した図であり、図５（ｂ）が金型２１の縦断面図である。
【００２５】
この図４に示すように、部品１は、最大幅（最大直径）がＷであり、最大高さがＨである。また、部品１の投影面積は、図４（ａ）のＸ−Ｙ平面上に投影した部品１の面積（平面視した面積）である。また、部品１の表面積は、ＣＡＤによって算出されるか、又はクライアント５側の作業者によって部品１の設計図面から算出される。そして、これら部品１の最大幅（最大直径）Ｗ、部品１の最大高さＨ、及び部品１の面積比（表面積／投影面積）は、見積用のデータとして、クライアント５側のキーボード、マウス、タッチパネル等の見積用データ入力手段２２によって見積用データ入力ウィンドウ１２を介して入力され、その入力データが部品加工費見積サーバ６にインターネット４を介して送信される。なお、部品１が樹脂製歯車の場合には、図５に示す金型２１で射出成形される。金型２１は、キャビティ２３の最大幅（部品１の最大幅に対応する寸法）がＷであり、キャビティ２３の最大深さ（部品１の最大高さに対応する寸法）がＨであり、図５（ａ）のＸ−Ｙ平面上に投影したキャビティ２３の面積が部品１の投影面積に対応する。このような部品１（樹脂製歯車）は、特殊な樹脂材料を使用しない限り、その加工費が金型２１の除去加工（切削加工、研削加工等）によって決定される。また、部品１が金属素材から削り出しで製造される金属製歯車である場合は、部品１の加工費が除去加工の加工費によって決定される。なお、本発明における除去加工により作製される部品としての、型や切削品の材料は、上述の金属素材に限定されず、合成樹脂材料やセラミックのような無機材料等、除去加工が可能な材料であれば、適用することができる。
【００２６】
また、この見積用データ入力ウィンドウ１２は、クライアント５側の電子メールアドレス２４及び名前２５を入力するようになっている。電子メールアドレス２４及び名前２５は、部品加工費見積サーバ６側からクライアント５側に見積上の質問をする場合や、クライアント５側からの質問や要望に対して部品加工費見積サーバ６側から回答する場合に、電子メールで通信できるようにするために入力してもらうようになっている。なお、見積用データ入力ウィンドウ１２は、図２（ｂ）に示す第１の見積用データ入力ウィンドウ１２ａと、図２（ｃ）に示す第２の見積用データ入力ウィンドウ１２ｂとに分割してもよい。第１の見積用データ入力ウィンドウ１２ａは、電子メールアドレス２４及び名前２５を入力するようになっている。また、第２の見積用データ入力ウィンドウ１２ｂは、部品１の最大幅、部品１の最大高さ、及び面積比（表面積／投影面積）をプルダウンメニュー１６〜１８の表示数値又は表示数値範囲から選択して入力するようになっている。そして、見積用データ入力ウィンドウ１２は、第１の見積用データ入力ウィンドウ１２ａ、第２の見積用データ入力ウィンドウ１２ｂの順に、見積入力データをクライアント５側から部品加工費見積サーバ６側へ送信するようにしてもよい。
【００２７】
図１に示した記憶装置３の第１のファイル（見積基準額記憶手段）１３は、見積入力データのうちの部品１の最大幅を入力するために見積用データ入力ウィンドウ１２に設けられたプルダウンメニュー１６の表示数値例２０（第１予測データ）に応じ、長年見積業務に携わった技術者の経験から割り出した見積基準額を設定し、その見積基準額をプルダウンメニュー１６の表示数値例２０に対応させて記憶してある。そして、この第１のファイル１３の見積基準額は、見積入力データの部品１の最大幅に応じて読み出され、部品加工費の見積額の算出に利用される。
【００２８】
また、図１に示した記憶装置３の第２のファイル（見積係数記憶手段）１４は、見積入力データのうちの面積比（表面積／投影面積）を入力するために見積用データ入力ウィンドウ１２に設けられたプルダウンメニュー１７の表示数値例（第２予測データ）に応じ、長年見積業務に携わった技術者の経験から割り出した係数を設定し、その係数をプルダウンメニュー１７の表示数値例に対応させて記憶してある。そして、この第２のファイル１４の係数は、見積入力データの面積比（表面積／投影面積）に応じて読み出され、部品加工費の見積額の算出に利用される（見積基準額に掛け合わされる）。ここで、係数を設定する際の基礎データとなる面積比（表面積／投影面積）は、切削加工等の加工量（加工時間）及び加工の難易度を推し量ることができる数値である。したがって、本実施形態の部品加工費見積システムは、長年見積業務に携わった技術者が経験から割り出した係数を上記見積基準額に掛け合わせるだけで、ＣＡＤデータに基づいて見積額を算出する第１従来技術と同等の精度で見積結果をクライアント５に提供できる。また、本実施形態の部品加工費見積システムは、長年見積業務に携わった技術者が経験から割り出した係数を上記見積基準額に掛け合わせるだけで、正確な見積結果をクライアント５に提供できるため、第２従来技術のような多くの見積用データの入力が不要になり、見積依頼者側（クライアント５側）の労力が軽減され、経験の浅い技術者が利用し易くなる。
【００２９】
また、図１に示した記憶装置３の第３のファイル（見積データ記憶手段）１５は、情報処理装置２の制御部７（見積額算出手段）によって算出された見積額を見積番号に関連づけて見積入力データと共に記憶している。
【００３０】
次に、この部品加工費見積システムの加工費見積処理を、図６乃至図７に基づき説明する。なお、図６は、部品加工費見積システムの加工費見積処理を示すフローチャート図である。また、図７は、部品加工費見積システムを構成する部品加工費見積サーバ６の機能ブロック図である。
【００３１】
先ず、クライアント５がインターネット４を介して部品加工費見積サーバ６にアクセスし、見積用データ入力ウィンドウ１２がクライアント５側で表示され、見積用データ入力ウィンドウ１２を介して見積用データがクライアント５（パソコン、スマートフォン等の見積用データ入力手段）側から入力される（ステップＳ１）。
【００３２】
クライアント５側で入力された見積入力データはインターネット４を介して部品加工費見積サーバ６に送信され、見積入力データが部品加工費見積サーバ６の通信手段２７を介して受信されると、見積入力データが見積入力データ受付手段（メモリ）２８に一時記憶される（ステップＳ２）。
【００３３】
次に、受信した見積入力データが予め定めた見積条件を満たすか否か判断手段３０によって判断され、見積入力データが見積条件を満たさないと判断されると、再度見積入力データを入れ直すことをクライアント５側に促す（ステップＳ３）。
【００３４】
受信した見積入力データが予め定めた見積条件を満たすと判断手段３０によって判断されると（ステップＳ３）、見積入力データの最大幅に合致する第１予測データに対応する見積基準額が見積基準額記憶手段１３から読み出される（ステップＳ４）。
【００３５】
次に、見積入力データの面積比（表面積／投影面積）に合致する第２予測データに対応する計数が見積係数記憶手段１４から読み出される（ステップＳ５）。
【００３６】
そして、見積額算出手段３１が、見積基準額記憶手段１３から読み出した見積基準額に見積係数記憶手段１４から読み出した係数を掛け合わせて、見積額を算出する（ステップＳ６）。
【００３７】
次に、見積額算出手段３１によって算出された見積額は、見積番号付与手段３２によって見積番号が付与される（ステップＳ７）。
【００３８】
次に、見積番号付与手段３２によって見積番号が付与された見積額は、見積入力データと共に記憶装置３の第３のファイル（見積データ記憶手段）１５に記憶される（ステップＳ８）。
【００３９】
そして、見積番号付与手段３２によって見積番号が付与された見積額は、見積番号と共にアクセスのあったクライアント５に通信手段２７でインターネット４を介して送信される（ステップＳ９）。このクライアント４に送信された見積額及び見積番号は、図８に示すように、クライアント５側の表示画面３３に表示される。
【００４０】
以上のように本実施形態によれば、見積時にＣＡＤファイルの提供を求めることがなく、また、詳細な登録事項に基づくユーザー登録を求めることがなく、簡単で少ない入力データで経験に基づいた見積を提供できるため、見積依頼者（クライアント５）が秘密情報漏洩の心配をすることなく気楽に部品加工費の見積を得ることができる。
【００４１】
（変形例）
図９は、上記実施形態に係る見積用データ入力ウィンドウ１２の変形例を示す図である。本変形例に係る見積用データ入力ウィンドウ１２は、部品１の最小肉厚（ｔｍｉｎ）を入力するためのプルダウンメニュー３４と、部品１の最大肉厚（ｔｍａｘ）を入力するためのプルダウンメニュー３５と、部品１の加工数量を入力するためのプルダウンメニュー３６と、部品１の成形材料を入力するためのプルダウンメニュー３７とが追加されている。また、この本変形例に係る見積用データ入力ウィンドウ１２は、アンダーカットに関し、アンダーカット無し、アンダーカット一方向、又はアンダーカット二方向を選択するラジオボタン３８ａ〜３８ｃが設けられている。
【００４２】
本変形例において、部品１の面積比（表面積／投影面積）のプルダウンメニュー１８の表示数値例、部品１の成形材料のプルダウンメニュー３７の表示例、アンダーカットに関するラジオボタン３８ａ〜３８ｃのそれぞれが第２予測データを構成し、各第２予測データに応じて、長年見積業務に携わった技術者の経験から割り出した係数を設定するようになっている。そして、記憶装置３の第２のファイル（見積係数記憶手段）１４は、それらの係数をプルダウンメニュー１８，３７の表示数値例及びラジオボタン３８ａ〜３８ｃに対応させて記憶してある。この第２のファイル１４の係数は、見積入力データの面積比（表面積／投影面積）、成形材料、及びアンダーカットのそれぞれに応じて読み出され、部品加工費の見積額の算出に利用される（見積基準額に掛け合わされる）。
【００４３】
本変形例に係る見積用データ入力ウィンドウ１２を使用した部品加工費見積システムは、上記実施形態に係る部品加工費見積システムよりも見積用の入力データ数が多くなるものの、見積用の入力データをプルダウンメニュー１６，１７，３４，３５，１８，３６，３７又はラジオボタン３８ａ〜３８ｃで容易に入力ができるため、上記実施形態の部品加工費見積システムと同様の効果を得ることができることはもちろんのこと、見積額の算出精度を向上させることができる。
【００４４】
なお、図９に示した見積用データ入力ウィンドウ１２は、図１０（ａ）に示す第１の見積用データ入力ウィンドウ１２ａと、図１０（ｂ）に示す第２の見積用データ入力ウィンドウ１２ｂとに分割してもよい。第１の見積用データ入力ウィンドウ１２ａは、電子メールアドレス２４及び名前２５を入力するようになっている。また、第２の見積用データ入力ウィンドウ１２ｂは、部品１の最大幅、部品１の最大高さ、部品１の最小肉厚（ｔｍｉｎ）、部品１の最大肉厚（ｔｍａｘ）、面積比（表面積／投影面積）、数量、成形材料を、それぞれのプルダウンメニュー１６，１７，３４，３５，１８，３６，３７の表示数値又は表示数値範囲から選択して入力するようになっている。また、第２の見積用データ入力ウィンドウ１２ｂは、アンダーカット無し、アンダーカット一方向、又はアンダーカット二方向を、ラジオボタン３８ａ〜３８ｃから入力するようになっている。そして、見積用データ入力ウィンドウ１２は、第１の見積用データ入力ウィンドウ１２ａ、第２の見積用データ入力ウィンドウ１２ｂの順に、見積入力データをクライアント５側から部品加工費見積サーバ６側へ送信するようにしてもよい。
【００４５】
また、上記実施形態及び上記変形例に係る見積用データ入力ウィンドウ１２は、プルダウンメニューをラジオボタンに適宜変更するか、又は、テンキー等によって数値を直接入力するようにしてもよい。また、ラジオボタンをプルダウンメニューに変更してもよい。また、見積用データ入力ウィンドウ１２は、最大幅のプルダウンメニュー１６、最大高さのプルダウンメニュー１７等の配置を適宜変更してもよい。また、見積用データ入力ウィンドウ１２は、最小肉厚及び最大肉厚のプルダウンメニュー３４，３５を合体し、最小肉厚と最大肉厚の肉厚寸法幅をプルダウンメニューの表示数値例としてもよく、また、最小肉厚と最大肉厚の肉厚寸法幅をラジオボタンで選択して入力できるようにしてもよい。
【００４６】
また、上記実施形態及び上記実施例は、樹脂製歯車と金属製歯車を部品１として例示したが、これに限られず、様々な部品１（精密流体機器の部品、光学部品、各種自動車部品等）の加工費用の見積に広く適用できる。
【符号の説明】
【００４７】
１……部品、６……部品加工費見積サーバ（部品加工費見積装置）、１３……第１のファイル（見積基準額記憶手段）、１４……第２のファイル（見積係数記憶手段）、２２……見積用データ入力手段、２８……見積入力データ受付手段、３０……判断手段、３１……見積額算出手段
【図１】
0006760726.tif 000002
【図２】
0006760726.tif 000003
【図３】
0006760726.tif 000004
【図４】
0006760726.tif 000005
【図５】
0006760726.tif 000006
【図６】
0006760726.tif 000007
【図７】
0006760726.tif 000008
【図８】
0006760726.tif 000009
【図９】
0006760726.tif 000010
【図１０】
0006760726.tif 000011